(57)【要約】【課題】  記録系用と再生系用の別々のバッファメモリを所望の記録系モード又は再生系モードに応じて使い分けていたため、制御方法及びハードウェア構造が複雑となっていた。【解決手段】  記録系用と再生系用の記録領域の割り当てを可変する統合バッファメモリ２２と、記録制御信号入力部３又は再生制御信号入力部４を介してユーザにより所望される記録系モード又は再生系モードに応じて統合バッファメモリ２２の上記記憶領域割り当て処理を制御するシステムコントローラ５とを備えてなる。【選択図】  図１
2006228421.tif 000002
【特許請求の範囲】
【請求項１】
記録媒体に信号を記録すると共に記録された信号を再生する信号記録再生装置において、
記録系用と再生系用の記憶領域を有し、これらの各記憶領域の割り当てを可変する統合記憶手段と、
所望の記録及び／又は再生のモードに応じて上記統合記憶手段の記憶領域割り当て処理を制御する制御手段と
を備えることを特徴とする信号記録再生装置。
【請求項２】
上記制御手段は、記録モード時に上記統合記憶手段の記憶領域を記録系用のみとし、再生モード時には再生系用のみとすることを特徴とする請求項１記載の信号記録再生装置。
【請求項３】
上記制御手段は、同時記録再生モード時には上記統合記憶手段の記憶領域を記録系用と再生系用に分けることを特徴とする請求項１記載の信号記録再生装置。
【請求項４】
上記同時記録再生モード時に、記録系用の記憶領域で発生したオーバーフロー分の信号は、上記制御手段の制御により、上記再生系用に割り当てた記憶領域に書き込まれることを特徴とする請求項３記載の信号記録再生装置。
【請求項５】
上記統合記憶手段を編集処理に用いることを特徴とする請求項１記載の信号記録再生装置。
【請求項６】
記録媒体に信号を記録すると共に記録された信号を再生する信号記録再生方法において、
所望の記録及び／又は再生のモードに応じて、記憶部の記録系用と再生系用の記憶領域の割り当て処理を可変することを特徴とする信号記録再生方法。
【請求項７】
記録モード時に上記記憶部の上記記憶領域を記録系用のみとし、再生モード時には再生系用のみとすることを特徴とする請求項６記載の信号記録再生方法。
【請求項８】
同時記録再生モード時には上記記憶部の上記記憶領域を記録系用と再生系用に分けることを特徴とする請求項６記載の信号記録再生方法。
【請求項９】
上記同時記録再生モード時に、記録系用の記憶領域で発生したオーバーフロー分の信号を、上記再生系用に割り当てた記憶領域に書き込むことを特徴とする請求項８記載の信号記録再生方法。
【請求項１０】
上記記憶部を編集処理に用いることを特徴とする請求項６記載の信号記録再生方法。
【発明の詳細な説明】
【技術分野】
【０００１】
本発明は、記録媒体に信号を記録すると共に記録された信号を再生する信号記録再生装置及びこの装置によって実行される信号記録再生方法に関する。
【背景技術】
【０００２】
例えば、光ディスクを記録媒体とする映像信号記録再生装置において、ディスクドライブのトラックジャンプや、シーク等によって発生する待ち時間を補償するために記録系用及び再生系用のバッファメモリが必要である。
【０００３】
従来、機器では、このバッファメモリとして、記録系と再生系の２つを持ち、ユーザによって指定される記録系モード又は再生系モードに応じて使い分けていた。
【発明の開示】
【発明が解決しようとする課題】
【０００４】
ところで、上記映像信号記録再生装置では、例えば既に時間が経過した部分の記録映像信号を、現時点での記録を続けながら再生したいという要求等が高まってきた。
【０００５】
このためには、再生系のレスポンスの向上が必要であるが、上述したように、従来では、記録系用と再生系用の別々のバッファメモリを所望の記録系モード又は再生系モードに応じて使い分けていたため、制御方法及びハードウェア構造が複雑となり、かつ、記録系用のバッファメモリを再生系用に割り当てることは不可能であった。このため、再生系のレスポンスを向上させる場合は更なる再生系用のバッファメモリの追加が必要であった。
【０００６】
本発明は、上記実情に鑑みてなされたものであり、ハードウェア構成がシンプルになり、尚かつ、記憶手段のアンダーフロー、オーバーフローの発生を抑えることのできる信号記録再生装置及び方法の提供を目的とする。
【課題を解決するための手段】
【０００７】
本発明に係る信号記録再生装置は、上記課題を解決するために、記録系用と再生系用の記憶領域を有し、これらの各記憶領域の割り当てを可変する統合記憶手段と、所望の記録及び／又は再生のモードに応じて上記統合記憶手段の記憶領域割り当て処理を制御する制御手段とを備える。
【０００８】
ここで、上記制御手段は、記録モード時に上記統合記憶手段の上記記憶領域を記録系用のみとし、再生モード時には再生系用のみとする。また、上記制御手段は、同時記録再生モード時には上記統合記憶手段の上記記憶領域を記録系用と再生系用に分ける。
【０００９】
また、上記同時記録再生モード時に、記録系用の記憶領域で発生したオーバーフロー分の信号は、上記制御手段の制御により、上記再生系用に割り当てた記憶領域に書き込まれる。また、上記統合記憶手段を編集処理に用いる。
【００１０】
また、本発明に係る信号記録再生方法は、上記課題を解決するために、所望の記録及び／又は再生のモードに応じて、記憶部の記録系用と再生系用の記憶領域の割り当て処理を可変する。
【００１１】
ここで、記録モード時に上記記憶部の上記記憶領域を記録系用のみとし、再生モード時には再生系用のみとする。また、同時記録再生モード時には上記記憶部の上記記憶領域を記録系用と再生系用に分ける。また、上記同時記録再生モード時に、記録系用の記憶領域で発生したオーバーフロー分の信号を、上記再生系用に割り当てた記憶領域に書き込む。また、上記記憶部を編集処理に用いる。
【００１２】
このように、記録系用と再生系用のバッファメモリを統合することにより、制御方法、ハードウェア構成をシンプルにし、なおかつ、再生時は、記録用のバッファメモリを再生に割り当てることにより、新たなバッファメモリを追加することなく、再生レスポンスの向上が実現できる。
【発明の効果】
【００１３】
本発明に係る信号記録再生装置及び方法によれば、記録系と再生系のバッファメモリを統合することにより、ハードウェア構成がシンプルになり、なおかつ、メモリのアンダーフロー、オーバーフローの発生が従来に比べ減少する。
【００１４】
また、編集時にもメモリのアンダーフロー、オーバーフローの発生を抑えることができる。
【発明を実施するための最良の形態】
【００１５】
以下、本発明に係る信号記録再生装置の実施の形態について図面を参照しながら説明する。
【００１６】
この実施の形態は、入力されるアナログ映像信号をディジタル映像信号に変換し帯域圧縮してから、また直接入力されるディジタル映像信号を帯域圧縮してから光ディスクドライブ１内に収納されている記録媒体である光ディスクに記録すると共に、この光ディスクに記録された圧縮ディジタル映像信号を伸張して再生する映像信号記録再生装置である。
【００１７】
この映像信号記録再生装置は、図１に示すように、記録系用と再生系用の記憶領域の割り当てを可変する統合バッファメモリ２２と、記録制御信号入力部３又は再生制御信号入力部４を介してユーザにより所望される記録系モード又は再生系モードに応じて統合バッファメモリ２２の上記記憶領域割り当て処理を制御するシステムコントローラ５とを備えてなる。
【００１８】
図１には、統合バッファメモリ２２の上記記録系用の記憶領域を記録系用バッファメモリ部２２ａ、上記再生系用の記憶領域を再生系用バッファメモリ部２２ｂと記す。これらの記録系用バッファメモリ部２２ａと再生系用バッファメモリ部２２ｂは、メモリ制御部２７を介したシステムコントローラ５の制御により、そのエリアを可変とする。例えば、記録時には、記録系用バッファメモリ部２２ａは、統合バッファメモリ２２の全てを占める。また、再生時には、再生系用バッファメモリ部２２ｂが全てを占める。また、同時記録再生時には、半分ずつメモリ容量を確保するようにしてもよい。
【００１９】
また、この映像信号記録再生装置は、上記アナログ映像信号又はディジタル映像信号を上記光ディスクに記録するための記録処理系１０と、上記光ディスクに記録されているディジタル映像信号を再生するための再生処理系３０とを備えている。
【００２０】
また、光ディスクドライブ１は、図２に示すように、光ディスク１ａに記録用のレーザ光を照射してディジタル映像信号を記録すると共に、再生用のレーザ光を照射してディジタル映像信号を再生するためのヘッド１ｂと、この光ディスク１を回転駆動するスピンドルモータ１ｃとを備えてなる。ヘッド１ｂとスピンドルモータ１ｃは、ディスク／ヘッド制御部２により制御されている。
【００２１】
まず、記録処理系１０の構成と動作について説明する。記録処理系１０は、例えばアナログＴＶＲからの映像信号入力に映像信号処理を施す映像信号処理部１４と、カメラ系からの撮像信号に信号処理を施すカメラ信号処理部１５と、アンテナで受信した放送映像信号に信号処理を施すチューナ部１６と、これら各信号処理部からの映像信号を切り換える映像信号切り換え部１７と、この映像信号切り換え部１７からの切り換え映像信号をディジタル映像信号に変換する映像信号Ａ／Ｄ変換部１８と、この変換ディジタル映像信号と直接入力されるディジタル映像信号入力とを切り換える映像信号制御部２０と、この映像信号制御部２０からのディジタル映像信号に帯域圧縮処理を施す映像信号帯域圧縮処理部２１とを備えてなる。
【００２２】
入力端子１１、１２及び１３から入力される上記映像信号入力、カメラ系入力、アンテナ系入力は、映像信号処理部１４、カメラ信号処理部１５及びチューナ系信号処理部（映像系）１６で、それぞれ映像信号処理、カメラ信号処理、チューナ系（映像系）信号処理が施され、映像信号切り換え部１７に供給される。
【００２３】
この映像信号切り換え部１７は、システムコントローラ５によって制御され、上記各入力映像信号から所望の映像信号を選択する。システムコントローラ５には、図示しないユーザインターフェースを介してユーザが設定した内容に応じて記録制御信号入力部３が記録制御信号を供給する。そして、映像信号切り換え部１７で選択された所望の映像信号は、映像信号Ａ／Ｄ変換部１８に供給される。
【００２４】
映像信号Ａ／Ｄ変換部１８は、上記所望の映像信号をディジタル信号に変換して、映像信号制御部２０に供給する。
【００２５】
映像信号制御部２０では、映像信号切り換え部１７と同様に、ユーザーの設定に従ったシステムコントローラ５の制御に応じて、映像信号Ａ／Ｄ変換部１８からのディジタル映像、入力端子１９から入力されるディジタル映像入力のいずれから１つを選択して、映像信号帯域圧縮処理部２１に供給する。映像信号帯域圧縮処理部２１では、映像信号制御部２０からの映像信号にＭＰＥＧやＪＰＥＧといった帯域圧縮を施す。
【００２６】
映像信号帯域圧縮処理部２１で帯域圧縮されたディジタル映像信号は、バスを介して、システムコントローラ５によって制御されるメモリ制御部２７によりアドレスが指定され、統合バッファメモリ２２の記録系用バッファメモリ部２２ａに格納される。
【００２７】
記録系用バッファメモリ部２２ａに格納されたディジタル映像信号は、バス、データ処理部６を介し、光ディスクドライブ１の光ディスク１ａに記録される。光ディスクドライブ１では、シークやトラックジャンプが発生すると、待ち時間が発生する。この待ち時間が発生したときには、統合バッファメモリ２２からの上記ディジタル映像信号の光ディスクドライブ１への供給を止めなければならない。
【００２８】
ここで、データ処理部６は、図２に示すように、記録信号処理部６ａと再生信号処理部６ｂからなる。記録処理系のときには記録信号処理部６ａが機能して、記録用のディジタル映像信号に所定の記録処理を施す。
【００２９】
システムコントローラ５は、光ディスクドライブ１の制御をディスク／ヘッド制御部２を介して行うと同時に、光ディスクドライブ１の状態も管理しており、その情報をメモリ制御部２７に伝え、統合バッファメモリ２２からのデータの供給の制御を行う。
【００３０】
次に、再生処理系３０の構成と動作について説明する。再生処理系３０は、バスを介して統合バッファメモリ２２の再生系用バッファメモリ部２２ｂから供給される映像信号に帯域伸長処理を施す映像信号帯域伸張処理部３１と、この映像信号帯域伸張処理部３１からの映像信号を切り換える映像信号制御部２０と、映像信号制御部２０で切り換えられた映像信号をアナログ映像信号に変換する映像信号Ｄ／Ａ変換部３２とを備えてなる。
【００３１】
再生モード時、光ディスクドライブ１はディスク／ヘッド制御部２によりサーボ、ヘッド移動等が制御され、再生映像信号をデータ処理部６の再生信号処理部を介して上記再生系用バッファメモリ部２２ｂに出力する。再生系用バッファメモリ部２２ｂは、上記再生映像信号の書き込みと読み出しのバランスを取りながら、再生映像信号を映像信号帯域伸張処理部３１に供給する。
【００３２】
映像信号帯域伸張処理部３１では、上記再生映像信号にＭＰＥＧ、ＪＰＥＧ等の伸張処理を施した後、映像信号制御部２０に供給する。
【００３３】
映像信号制御部２０は、ユーザの設定にしたがって再生制御信号入力部４を介して得た情報に基づいたシステムコントローラ５により制御され、映像信号帯域伸張処理部３１からのディジタル映像信号に後述する切り換え処理を施し、映像信号Ｄ／Ａ変換部３２又は出力端子３４に供給する。
【００３４】
映像信号Ｄ／Ａ変換部３２は、映像信号制御部２０で切り換え制御されたディジタル映像信号をアナログ映像信号に変換し、出力端子３３に供給する。
【００３５】
図３には、映像信号制御部２０の詳細な構成を示す。この映像信号制御部２０は、切り換えスイッチＳＷ１と切り換えスイッチＳＷ２とからなる。切り換えスイッチＳＷ１は、入力端子１９からのディジタル映像信号入力が供給される被選択端子ａと、入力端子３６を介して映像信号Ａ／Ｄ変換部１８からのディジタル映像信号が供給される被選択端子ｂと、映像信号帯域伸張処理部３１（ＭＰＥＧデコード処理を施すＭＰＥＧデコーダとする。）からのデコード映像信号が供給される被選択端子ｃと、映像信号帯域圧縮処理部２１（ＭＰＥＧエンコード処理を施すＭＰＥＧエンコーダとする。）に切り換え入力を供給する切り換え片ｄとを備えてなる。また、切り換えスイッチＳＷ２は、上記入力端子３６からのディジタル映像信号が供給される被選択端子ｅと、ＭＰＥＧデコーダ３１からのデコード映像信号が供給される被選択端子ｆと、出力端子３７を介して映像信号Ｄ／Ａ変換部３２に切り換え出力を供給する切り換え片ｇとを備えてなる。
【００３６】
この映像信号制御部２０における上記スイッチＳＷ１及びスイッチＳＷ２の切り換えは、システムコントローラ５により制御される。具体的には、システムコントローラ５に記録制御信号入力部３を介して供給されたユーザからの指令が、入力端子１９からの外部ディジタル映像信号を入力に指定して光ディスク１ａに記録するというものであれば、上記スイッチＳＷ１の切り換え片ｄは被選択端子ａに接続される。また、上記ディジタル変換映像入力を指定して記録するものであれば、切り換え片ｄは被選択端子ｂに接続される。そして、上記いずれかの映像入力と光ディスクドライブ１で再生した映像データとを繋ぎ編集して再度光ディスク１ａに記録するという指令であれば、システムコントローラ５は切り換え片ｄを被選択端子ｃに接続するタイミングを制御する。すなわち、ＭＰＥＧデコーダ３１からの復号出力を直接ＭＰＥＧエンコーダ２１にフィードバックする。これにより、後述する１フレーム単位での繋ぎ編集が実現できる。
【００３７】
ところで、従来の映像信号記録再生装置では、映像信号帯域圧縮処理部２１の後と、映像信号帯域伸張処理部３１の前にそれぞれ専用のメモリを独立に配置していたが、本発明では、それらを統合し、統合バッファメモリ２２としている。
【００３８】
すなわち、記録時に映像信号帯域圧縮処理部２１からの信号発生量が増加し、且つ、光ディスクドライブ１の待ち時間が大きい場合、従来の映像信号記録再生装置では、記録系の専用バッファメモリがオーバーフローしてしまいシステムが破綻してしまったが、本発明では、その様な場合、システムコントローラ５の制御により、再生系用バッファメモリ部２２ｂを記録系用バッファメモリ部２２ａに転用する。
【００３９】
また、再生時は、シークやトラックジャンプの頻度が多いと再生系の専用バッファメモリがアンダーフローしてしまったが、本発明では、記録系用バッファメモリ部２２ａを再生系用バッファメモリ部２２ｂに転用する。
【００４０】
図４に記録時の統合バッファメモリ２２でのメモリアクセス状態の具体例を示す。従来は記録系と再生系のメモリが分割されていたので、その容量はそれぞれ２ｎであったが、本発明では、記録系用バッファメモリ部２２ａと再生系用バッファメモリ部２２ｂとを統合しているので記録時に使用可能なメモリ容量は４ｎとなる。
【００４１】
現在、映像信号帯域圧縮処理部２１から統合バッファメモリ２２に信号がｎまで入力されているものとし、ｎまで貯まったら記録動作を開始するものとする。
【００４２】
よって、Phase１では記録なので、統合バッファメモリ２２から信号を出力し光ディスクドライブ１に書き込みを行う。光ディスク１ａへの書き込み転送レートは、映像信号帯域圧縮処理部２１から統合バッファメモリ２２に入力されるレートに対し、２倍としている。例えば、映像信号帯域圧縮処理部２１から統合バッファメモリ２２への書き込み転送レートが１０Ｍｂｐｓの場合、光ディスク１ａへの書き込み転送レートは２０Ｍｂｐｓとする。
【００４３】
Phase２では、統合バッファメモリ２２が空になったので、光ディスクドライブ１は待ち状態に遷移する。もしくは、別のエリアに書き込みを行うために発生するヘッド移動に伴う待ち時間も含まれる。この間、映像信号帯域圧縮処理部２１から統合バッファメモリ２２に信号が入力され、ｎに達したとき、Phase３の記録動作に遷移する。通常はヘッド移動による待ち時間の最悪値から統合バッファメモリ２２の容量を決定するので該メモリ２２がオーバーフローを起こすことはない。
【００４４】
ところが、振動、ショック等により光ディスクドライブ１でサーボが外れたり、光ディスク１ａ上のキズ、ゴミ等により書き込みが出来なくなり、待ち時間が定常状態より長くなると、Phase４に示す様に、統合バッファメモリ２２への書き込み時間が長くなり該メモリ２２の使用量が増加する。
【００４５】
従来は、記録系のメモリ容量は２ｎであった為、図の斜線部分は、オーバーフローとなり記録ができなくなってしまったが、本実施の形態ではオーバーフローを起こすことは無いので記録が途切れない。
【００４６】
Phase５ではPhase４にて溜まりすぎた信号を今までと同じ時間で記録するため、例えば２倍の転送レート（４０Ｍｂｐｓ）で記録を行う。
【００４７】
図５に記録時のメモリアクセス状態の他の具体例を示す。Phase３までは上記図４と同様である。Phase４にて何らかの要因にて映像信号帯域圧縮処理部２１からの信号発生量が今までの２倍になると、従来例では上述したようにバッファメモリのオーバーフローが発生する。ここで何らかの要因とは、例えばシーンチャンジの多い映像が入力されたり、又は、ビット発生量が不明な圧縮信号をディジタル入力した場合など、圧縮設定したものより高いビットレートで入ってきた場合が考えられる。しかし、本実施の形態では記録系用バッファメモリ部２２ａのメモリ容量を４ｎとしているので、やはりオーバーフローを起こすことがなく記録が途切れない。
【００４８】
また、図６には再生時のメモリアクセス状態の具体例を示す。ここで、従来は、記録系と再生系のメモリが分割されておりその容量はそれぞれ２ｎであった。本実施の形態では、統合バッファメモリ２２を用いているので再生時の使用可能なメモリ容量は４ｎとなる。
【００４９】
現在、映像信号帯域伸張処理部３１に統合バッファメモリ２２から信号を３ｎまで出力したら光ディスクドライブ１では再生動作を開始するものとする。よって、Phase１では再生なので、光ディスク１ａから信号を読み出し、統合バッファメモリ２２に書き込む。光ディスクドライブ１から統合バッファメモリ２２への書き込み転送レートは、統合バッファメモリ２２から映像信号帯域伸張処理部３１に出力されるレートに対し、２倍としている。例えば、映像信号帯域伸張処理部３１へのレートが、１０Ｍｂｐｓの場合、光ディスク１ａの読み出し転送レートは２０Ｍｂｐｓである。Phase２では統合バッファメモリ２２がフルになったので光ディスクドライブ１は待ち状態に遷移する。もしくは、別々のエリアからの読み出しを行うために発生するヘッド移動に伴う待ち時間も含まれる。
【００５０】
この間、統合バッファメモリ２２から映像信号帯域伸張処理部３１に信号が出力され、３ｎに達したとき、phase３の再生動作に遷移する。通常は、ヘッド移動による待ち時間の最悪値からメモリ容量を決定するので統合バッファメモリ２２がアンダーフローを起こすことはない。
【００５１】
ところが、振動、ショック等により光ディスクドライブ１のサーボが外れ、読み出しが出来なくなり、待ち時間が定常状態より長くなると、Phase４に示すように、統合バッファメモリ２２からの出力時間が長くなり該メモリ２２内のデータの残量が１．５ｎまで減ってしまう。
【００５２】
従来は、再生系のメモリ容量は２ｎであった為、図の斜線部はアンダーフローとなり再生信号が途切れてしまったが、本発明では再生系用バッファメモリ部２２ｂのメモリ容量が４ｎなのでアンダーフローを起こすことは無く、再生信号は途切れない。
【００５３】
Phase５ではPhase４にて減りすぎた信号を補うため、例えば２倍の転送レート（４０Ｍｂｐｓ）で再生を行う。
【００５４】
図７に同時記録再生時のメモリアクセス状態の具体例を示す。同時記録再生時は統合バッファメモリ２２内を２分割し制御を行う。すなわち、０〜２ｎを記録系用バッファメモリ部２２ａ、２ｎ〜４ｎを再生系用バッファメモリ部２２ｂに使用する。
【００５５】
Phase１を記録動作とすると、記録系では記録系用バッファメモリ部２２ａのメモリ容量が２ｎから０になるまで、光ディスクドライブ１に書き込みを行う。同時に再生系は映像信号帯域伸張処理部３１に出力を行う。Phase２はヘッド移動等の待ち時間なので、記録系では光ディスクドライブ１への書き込みを止める。再生系では前の状態を維持する。Phase３は再生動作なので、記録系は前の状態を維持し、再生系は光ディスクドライブ１から読み出しを行い再生系用バッファメモリ部２２ｂに書き込む。Phase４は再び待ち時間なので、記録系は前の状態を維持し、再生系は読み出しを止める。以降、Phase１からPhae４の動作を繰り返すことにより同期記録再生を実現する。
【００５６】
図８には、同時記録再生時に予想外の待ち時間が発生した時のメモリアクセス状態の具体例を示す。Phase１からPhase３までは、上記図７で説明したのと同様である。Phase４にて何らかの原因で記録／再生が出来なくなった場合、従来は図に示すように斜線領域Ａでオーバーフローを起こし、記録が途切れ、斜線領域Ｃでアンダーフローを起こし、再生が途切れてしまった。本発明では、記録と再生のバッファメモリを統合バッファメモリ２２のように統合しているので、斜線領域Ａのオーバーフローは、再生系に割り当てた斜線領域Ｂを使用することにより防ぐことができる。また、斜線領域Ｃはデータが無いので防ぐことは出来ないが、記録が途切れることは無いので、記録優先のバッファメモリ制御が実現できる。
【００５７】
また、本実施の形態の映像信号記録再生装置では、映像信号帯域圧縮処理部２１及び映像信号帯域伸張処理部３１として、図３に示すように、ＭＰＥＧエンコーダ２１及びＭＰＥＧデコーダを用いることにより、ＧＯＰを構成するフレーム単位での繋ぎ編集が実現できる。
【００５８】
ＭＰＥＧエンコード方式で圧縮された映像信号は、ＧＯＰ構造を持っており、一般的に、フレーム単位での編集をする場合、一度、アナログ信号に戻して、頭から再エンコードを行っている。本実施の形態では、ＭＰＥＧデコーダ３１からＭＰＥＧエンコーダ２１にフィードバックすることにより、編集の繋ぎ目部のＧＯＰのみ再エンコードすることにより画質劣化の時間を最少限にとどめることができる。
【００５９】
図９を参照して繋ぎ撮り編集のＩＮ点の説明をする。ここでは、光ディスク１から再生した映像データに映像信号制御部２０のスイッチＳＷ１の被選択端子ｂに入力端子３６を介して映像信号Ａ／Ｄ変換部１８から供給される変換ディジタル映像信号を繋ぎ編集する場合を説明する。
【００６０】
図９の（ａ）に示した光ディスク１ａ上のデータの内、ＧＯＰ２のＢ４の後に、図９の（ｂ）に示したＡ／Ｄ変換出力となる入力データのＢａ以降のデータを接続する場合を想定している。この場合には、ＧＯＰ２のＢ４をＰピクチャにして、Ｂ１，Ｂ２，Ｉ３，Ｐ４（Ｂ４）からなるＧＯＰを成立する必要がある。
【００６１】
ＧＯＰ２のＢ１，Ｂ２をデコードするためには、Ｐ１５が必要であり、Ｐ１５をデコードするためにはＩ３が必要となる。よって、Ｂ４にて繋ぎ編集する場合、１ＧＯＰ前のＧＯＰ１から光ディスク上のデータを得る必要がある。
【００６２】
先ず、システムコントローラ５の制御により、映像信号制御部２０のＳＷ１の切り換え片ｄは被選択端子ｃに接続される。すると、ＭＰＥＧデコーダ３１からの復号出力は、スイッチＳＷ１を介してＭＰＥＧエンコーダ２１に供給される。
【００６３】
ＭＰＥＧエンコーダ２１は、ＧＯＰ２のＩ３から図９の（ｃ）に示すように、再エンコードを開始する。そして、Ｂ４をＰ４に変更した時点で、システムコントローラ５は、スイッチＳＷ１の切り換え片ｄを被選択端子ｂに切り換える。
【００６４】
ＭＰＥＧエンコーダ２１は、引き続き、図９の（ｂ）に示すＢａから始まる入力データをエンコードし、図９の（ｃ）に示すように、Ｉｃ，Ｂａ，Ｂｂと生成する。このとき、Ｂａ、Ｂｂは後方予測のみとなるので、クローズド（Closed）ＧＯＰフラグをＧＯＰのヘッダに付加する。これにより、図９の（ｃ）に示すＭＰＥＧエンコード出力Ｉ３，Ｂ１，Ｂ２，Ｐ４に続いて、ＭＰＥＧエンコード出力Ｉｃ，Ｂａ、Ｂｂ、Ｐｆ・・・を接続でき、図９の（ｄ）として光ディスク１上に記録できる。
【００６５】
ここで、ＭＰＥＧエンコーダ２１とＭＰＥＧデコーダ３１が非同期で動作していると、スイッチＳＷ１の切り換え時に、垂直同期信号が不連続となり、繋ぎ目が乱れるので、ＭＰＥＧエンコーダ２１、ＭＰＥＧデコーダ３１共に、入力データに同期して動作させることにより、連続的な繋ぎ処理を実現する。
【００６６】
この編集時（繋ぎ撮りＩＮ点）でのメモリアクセス状態の具体例を示す。ここでは、光ディスクドライブ１からの読み／書きの転送レート及びＭＰＥＧエンコーダ２１の出力レート（＝記録系用メモリエリア２２ａの書き込みレート）、ＭＰＥＧデコーダ３１の入力レート（＝再生系用メモリエリア２２ｂの読み出しレート）を、全て同じ（例えば１０Ｍｂｐｓ）とする。
【００６７】
先ず初めに、「再生１状態（図には再生１と記す）」では、繋ぎたいフレームが存在するＧＯＰ（ＧＯＰ２）の一つ前のＧＯＰ（ＧＯＰ１）の先頭から、光ディスク１ａから読み出しを行い、再生系用メモリエリア２２ｂに書き込みを行う。
【００６８】
次に、再生系用メモリエリア２２ｂが有る程度溜まったら「再生２」で、ＭＰＥＧデコーダ３１に出力する。ここでは、ＭＰＥＧデコーダ３１の入出力の信号遅延は無いものとする。この「再生２」では、再生系用メモリエリア２２ｂの書き込みと読み出しが同時に起こり、且つ読み書きのレートは同じなのでメモリ容量は変化しない。
【００６９】
次に、「待ち１」では、ＧＯＰ１とＧＯＰ２が光ディスク１ａに連続で書かれていなかったり、もしくは何らかの要因でヘッドの移動による待ち時間が発生すると、再生系用メモリエリア２２ｂには光ディスクドライブ１からの供給が止まり、ＭＰＥＧデコーダ３１に対しての消費のみとなるため、図のようにメモリ容量は減少する。
【００７０】
「再生３」と「記録再生１」における、再生系用メモリエリア２２ｂの動作は「再生２」と同様である。
【００７１】
再エンコードに必要なＧＯＰ２のＢ４まで光ディスクドライブ１が映像信号の読み出しを行うと、以降は不要なので再生動作をやめるが、再生系用メモリエリア２２ｂは「記録再生２」に示すようにＢ４の終わりまでＭＰＥＧデコーダ３１に出力を行う。
【００７２】
以降は再生動作が再び開始されるまで、再生系用メモリエリア２２ｂはアクセスを行わない。（「待ち２」、「記録１」、「記録２」）。また、記録系用メモリエリア２２ａは記録動作が開始されるまでアクセスを行わず待機している（「再生１」、「再生２」、「待ち１」、「再生３」）。
【００７３】
次に、切り換えスイッチＳＷ１の選択片ｄが被選択端子ｃに接続され、ＭＰＥＧエンコーダ２１から再エンコードされた信号が出力されると同時に、記録系用メモリエリア２２ａは書き込みを開始し、ある程度信号をためる（「記録再生１」、「記録再生２」、「待ち２」）。
【００７４】
「記録１」に示すように、光ディスクドライブ１への書き込みが始まると、供給と消費が同じになるため記録系用メモリエリアのメモリ容量は変化しない。
【００７５】
ＭＰＥＧエンコーダ２１からの出力が終わった後、「記録２」に示すように、記録系用メモリエリア２２ａに残った全てのデータを光ディスクドライブ１に書き込み終了する。
【００７６】
次に、１フレーム単位での繋ぎ編集におけるＯＵＴ点について図１０を参照しながら説明する。図１０の（ｃ）のＡ／Ｄ変換出力である入力データのＰｆの後に、図１０の（ａ）に示した光ディスク上のデータのＢ１１以降を接続する場合について説明する。ここで、入力データは、映像信号制御部２０のスイッチＳＷ１の被選択端子ｂに入力端子３６を介して映像信号Ａ／Ｄ変換部１８から供給される変換ディジタル映像信号とする。
【００７７】
この場合、ＭＰＥＧエンコーダ２１は、Ｂ１１からＰ１７の再エンコードを行い、図１０の（ｃ）を出力する。すなわち、始めはスイッチＳＷ１の切り換え選択片ｄが被選択端子ｂに接続しているので、光ディスク１へのＭＰＥＧエンコーダ２１からのＭＰＥＧ出力は図１０の（ｄ）に示すように、Ｉｃ，Ｂａ、Ｂｂ，Ｐｆ，Ｂｄ，Ｂｅとなる。ここまで、ＭＰＥＧエンコーダ２１がエンコードし光ディスクドライブ１が記録したら、システムコントローラ５はスイッチＳＷ１の切り換え片ｄを被選択端子ｃに切り換えると同時に、光ディスク１ａからデータを再生するモードに入り、光ディスクドライブ１からＭＰＥＧデコーダ３１に繋ぎ目Ｂ１１以降のデータを供給する。
【００７８】
ＭＰＥＧエンコーダ２１は、図１０の（ｂ）に示すＭＰＥＧデコード出力のＢ１１以降を再エンコードして、Ｉ１３，Ｂ１１，Ｂ１２，・・・と作り直す。このＭＰＥＧエンコーダ２１からの図１０の（ｄ）に示す出力は、図１０の（ｅ）に示す書き込みデータとなり光ディスク１に記録される。
【００７９】
なお、Ｂ１１，Ｂ１２は、後方予測のみなので、クローズドＧＯＰフラグをＧＯＰヘッダに付加する。また、次のＧＯＰのＢ１６，Ｂ１７以降はデコードできないので、ブロークンリンク（Broken Link）フラグをＧＯＰヘッダに付加する。
【００８０】
この編集時（繋ぎ撮りＯＵＴ点）でのメモリアクセス状態の具体例を図１０を用いて説明する。各種条件は図９と同じとする。
【００８１】
先ず初めに、「再生１」で、繋ぎたいフレームが存在するＧＯＰ（ＧＯＰ２）の１つ前のＧＯＰ（ＧＯＰ１）の先頭から、光ディスク１ａから読み出しを行い、再生系用メモリエリア２２ｂに書き込みを行う。
【００８２】
次に、再生系用メモリエリア２２ｂがある程度溜まったらＭＰＥＧデコーダ３１に出力する（「再生２」、「記録再生１、２、３」）。ここでは、ＭＰＥＧデコーダ３１の入出力の信号遅延は無いものとする。「再生２」では、再生系用メモリエリア２２ｂの書き込みと読み出しが同時に起こり、かつ読み書きのレートは同じなのでメモリ容量は変化しない。
【００８３】
「記録再生４」では、光ディスクドライブ１での読み出しは終了しているので、ＭＰＥＧデコーダ３１への出力のみが行われ、「記録２」で終了する。
【００８４】
記録系用メモリエリア２２ａは記録動作が開始されるまでアクセスを行わず待機している。（「再生１」、「再生２」）。
【００８５】
次に、切り換えスイッチＳＷ１の選択片ｄが被選択スイッチｂに接続され、映像信号Ａ／Ｄ変換部１８の出力が入力端子３６からＭＰＥＧエンコーダ２１に供給され、このＭＰＥＧエンコーダ２１からエンコードデータが出力されると同時に、「記録再生１」に示すように、記録系用メモリエリア２２ａは書き込みを開始し、ある程度信号をためる。
【００８６】
光ディスクドライブ１で光ディスク１ａへの書き込みが始まると、供給と消費が同じになるためメモリ容量は変化しない（「記録再生２、３、４」、「記録２」）。
【００８７】
ＭＰＥＧエンコーダ２１からの出力が終わった後、「記録３」に示すように、記録系用メモリエリア２２ａに残った全てのデータを光ディスクドライブ１が光ディスク１ａに書き込み終了する。
【００８８】
ここで、ＧＯＰ３のＩ１８で終了しているのは、ＧＯＰ３のＢ１６、Ｂ１７はＰ１７からの予測ができないので、ブロークンリンクフラグを付ける必要があり、そのためにはＩ１８を読めば十分であるからである。
【００８９】
このように上記図１に示した映像信号記録再生装置では、統合バッファメモリ２２を用いることで、ＭＰＥＧ方式を用いた編集処理をアンダーフロー、オーバーフローを起こすことなく実現できる。
【００９０】
なお、上記図１に示した映像信号記録再生装置は、図１１に示すような構成としてもよい。すなわち、統合バッファメモリ２２をバス７よりも映像信号帯域圧縮処理部２１及び映像信号帯域伸張処理部３１側に設けてもよい。
【００９１】
さらに、上記実施の形態は、映像信号を記録再生する映像信号記録再生装置であったが、本発明は図１２〜図１４に示す映像及び音声信号記録再生装置を他の実施の形態とすることもできる。
【００９２】
この他の実施の形態となる映像及び音声信号記録再生装置について以下に説明する。
【００９３】
図１２に示すように、映像及び音声信号記録再生装置は、入力端子８０及び９０を介して入力される映像信号及び音声信号を記録媒体の一例である例えば光ディスク１００に記録するための記録処理系１１０と記録処理系用バッファメモリ部１６０とを備え、また光ディスクドライブ１００が上記図２に示した光ディスク１ａに記録している映像信号及び音声信号を再生するための再生系用バッファメモリ部１７０と再生処理系２００とを備える。
【００９４】
また、この映像及び音声信号記録再生装置は、光ディスクドライブ１００での光ディスク１ａの回転速度を制御したり、光ディスク１ａにレーザ光を照射して映像及び音声信号を書き込み／読み出す光学ヘッドを制御するディスク／ヘッド制御部１０１と、上記映像及び音声信号を光ディスクドライブ１００に記録するための制御信号を図示しないヒューマンインターフェースを介して入力する記録制御信号入力部１０２と、上記映像及び音声信号を光ディスク１００から再生するための制御信号をヒューマンインターフェースを介して入力する再生制御信号入力部１０３と、記録制御信号入力部１０２及び再生制御信号入力部１０３から供給される上記記録制御信号及び再生制御信号に基づいて上記各処理系又は制御部を制御するシステムコントローラ１０４とを備えてなる。
【００９５】
この映像及び音声信号記録再生装置の基本的な動作を説明する。
【００９６】
先ず、記録動作について説明する。入力端子８０及び９０を介して入力された映像信号及び音声信号は、記録処理系１１０に供給される。この記録処理系１１０は、上記映像信号及び音声信号に所定の信号処理を施して、記録系用バッファメモリ部１６０に供給する。記録系用バッファメモリ部１６０は、上記信号の書き込みと読み出しのバランスを取りながら、光ディスクドライブ１００に信号を出力する。光ディスクドライブ１００では、ディスク／ヘッド制御部１０１により光ディスク１ａの回転が制御されており、また、光学ヘッド移動等のサーボが制御されることによって上記信号の記録を行う。
【００９７】
なお、この記録動作は以下に説明する手順で実行される。ユーザが図示しない操作部上で記録モードを指定する記録ボタンを押すことにより、記録制御信号入力部１０２が記録制御信号を生成し、この記録制御信号がヒューマンインターフェースを介してシステムコントローラ１０４に伝わり、このシステムコントローラ１０４が上記各処理系、制御部に上記記録制御信号に応じた指示を与える。
【００９８】
次に、再生動作について説明する。再生モード時、光ディスクドライブ１００はディスク／ヘッド制御部１０１によりサーボ、ヘッド移動等が制御され、再生信号を再生系用バッファメモリ部１７０に出力する。再生系用バッファメモリ部１７０は上記再生信号の書き込みと読み出しのバランスを取りながら、再生処理系２００に上記再生信号を出力する。この再生処理系２００は、上記再生信号に所定の信号処理を施して、映像信号及び音声信号出力を得、出力端子２５０及び２６０に供給する。
【００９９】
なお、この再生動作は以下に説明する手順で実行される。ユーザが操作部で再生モードを指定する再生ボタンを押すことにより、再生制御信号入力部１０３が再生制御信号を生成し、この再生制御信号がヒューマンインターフェースを介してシステムコントローラ１０４に伝わり、このシステムコントローラ１０４が上記各処理系、制御部に上記再生制御信号に応じた指示を与える。
【０１００】
この映像及び音声信号記録再生装置でも、記録系用バッファメモリ部１６０と再生系用バッファメモリ部１７０を、一つのメモリに統合して、統合バッファメモリ１５０とする。
【０１０１】
従来は、記録系用のバッファメモリ部と再生系用のバッファメモリ部はそれぞれ個別に設けられていたので、例えば、再生のレスポンスを向上させる場合には、再生専用のバッファメモリをさらに追加する必要があった。しかし、上述したような統合バッファメモリ１５０を用いることにより、メモリの制御方法、ハードウェア構成をシンプルにでき、なおかつ、記録時には再生系用のバッファメモリ部１７０を記録系用に割り当てたり、再生時には記録系用のバッファメモリ部１６０を再生系用に割り当てることができるので、再生専用のバッファメモリをさらに追加することなく、再生レスポンスを向上できる。
【０１０２】
また、この映像及び音声信号記録再生装置では、光ディスクドライブ１００から再生した信号に編集を施したときには、その編集信号を再び光ディスクドライブ１００に記録することができる。再生処理系２００から記録処理系１１０に信号を戻せばよい。
【０１０３】
一方、再生信号に編集処理を施さないで、光ディスクドライブ１００上での物理的な配置を変えるときには、再生信号を記録系用バッファメモリ部１６０を経由して記録すればよい。
【０１０４】
ここまでの説明では、記録処理と再生処理を独立に行っているが、同時に行う場合は、光ディスクドライブ１００での信号の読み出し／書き込みを時分割で行い、この際のデータの途切れに対しては、統合バッファメモリ１５０で補償を行うことにより実現できる。
【０１０５】
図１３には記録処理系１１０の詳細な構成を示す。この記録処理系１１０は、上記映像信号に記録処理を施す映像信号記録処理系１１１と、上記音声信号に記録処理を施す音声信号記録処理系１２５とからなる。
【０１０６】
先ず、映像信号記録処理系１１１について説明する。入力端子８１、８２及び８３から入力される映像信号入力、カメラ系入力、アンテナ系入力は、映像信号処理部１１２、カメラ信号処理部１１３及びチューナ系信号処理部（映像系）１１４ｖで、それぞれ映像信号処理、カメラ信号処理、チューナ系（映像系）信号処理が施され、映像信号切り換え部１１５に供給される。
【０１０７】
この映像信号切り換え部１１５は、システムコントローラ１０４によって、上記各入力映像信号から所望の映像信号を選択する。システムコントローラ１０４には、図示しないユーザインターフェースを介してユーザが設定した内容に応じて記録制御信号入力部１０２が記録制御信号を供給する。そして、映像信号切り換え部１１５で選択された所望の映像信号は、映像信号Ａ／Ｄ変換部１１６に供給される。
【０１０８】
映像信号Ａ／Ｄ変換部１１６は、上記所望の映像信号をディジタル信号に変換して、映像信号制御部１１７に供給する。
【０１０９】
映像信号制御部１１７では、映像信号切り換え部１１５と同様に、ユーザーの設定に従ったシステムコントローラ１０４の制御に応じて、映像信号Ａ／Ｄ変換部１１７からのディジタル映像、入力端子８４から入力されるディジタル映像入力、又は入力端子８５からＤＶ方式伸張部１１８を介して入力されるＤＶ入力のいずれから１つを選択して、映像信号帯域圧縮処理部１１９に供給する。
【０１１０】
なお、ここでのＤＶ入力とは、家庭用ディジタルビデオカメラの規格に基づいたディジタルビデオカメラ入力のことであり、ＤＶ方式伸張部１１８により、本記録再生装置に適合するよう変換が施された後、映像信号制御部１１７に供給される。
【０１１１】
また、映像信号制御部１１７には、記録処理系１１０が再生処理系２００からの再生映像信号を編集等に用いる場合には、入力端子８７を介して上記再生映像信号が供給される。
【０１１２】
映像信号帯域圧縮処理部１１９では、映像信号制御部１１７からの映像信号にＭＰＥＧやＪＰＥＧといった帯域圧縮を施し、映像信号切り換え部１２０に供給する。
【０１１３】
映像信号切り換え部１２０では、入力端子８６から圧縮方式変換部１２１を介して入力されるディジタル衛星放送／ディジタルＴＶ放送などの圧縮ディジタル入力と、映像信号帯域圧縮処理部１１９からの映像信号との切り換え選択を行う。
【０１１４】
なお、圧縮ディジタル入力には、コンピュータ等のデータを入力することも可能である。この圧縮ディジタル入力が、本記録再生装置の記録方式と適合しない場合は、圧縮方式変換部１２１にて変換が行われる。
【０１１５】
映像信号切り換え部１２０にて選択された映像信号は、記録系用バッファメモリ部１６０を構成する映像系用バッファメモリ部１６１に供給される。この映像系用バッファメモリ部１６１は、映像信号切り換え部１２０からの映像信号の書き込みと光ディスク１００への読み出しのバランスを取りながら、上記映像信号をデータバスを介して記録データ処理部１０５に供給する。
【０１１６】
次に、音声信号記録処理系１２３について説明する。入力端子９１、９２及び８３から入力される音声信号入力、マイク系入力、アンテナ系入力は、音声信号処理部１２４、マイク音声処理部１２５、チューナ系信号処理部（音声系）１１４ａで、それぞれ音声信号処理、マイク信号処理、チューナ系（音声系）信号処理が施され、音声信号切り換え部１２６に供給される。
【０１１７】
音声信号切り換え部１２６は、システムコントローラ１０４によって、上記各入力音声信号から所望の音声信号を選択する。システムコントローラ１０４には、図示しないユーザインターフェースを介してユーザが設定した内容に応じて記録制御信号入力部１０２が記録制御信号を供給する。そして、音声信号切り換え部１２６で選択された所望の音声信号は、音声信号Ａ／Ｄ変換部１２７に供給される。
【０１１８】
音声信号Ａ／Ｄ変換部１２７は、上記所望の音声信号をディジタル信号に変換して、音声信号切り換え部１２８に供給する。
【０１１９】
音声信号切り換え部１２８では、音声信号切り換え部１２６と同様に、ユーザーの設定に従ったシステムコントローラ１０４の制御に応じて、音声信号Ａ／Ｄ変換部１２７からのディジタル音声、入力端子９３から入力されるディジタル音声入力、又は入力端子８５からＤＶ方式伸張部１１８を介して入力されるＤＶ入力のいずれから１つを選択して、音声信号処理部１２９に供給する。
【０１２０】
また、音声信号切り換え部１２８には、この記録処理系１１０が再生処理系２００からの再生音声信号を編集等に用いる場合には、入力端子９４を介して上記再生音声信号が供給される。
【０１２１】
音声信号処理部１２９は、音声系バッファメモリ１３０とフェード処理部１３１とからなり、時間軸方向に連続していない上記入力ディジタル音声をつなぐ際に、つなぐ部分の音声信号の振幅レベル差に応じてつなぎ部分近傍の音声レベルを調整する。つなぐ部分の上記入力ディジタル音声の振幅レベル差が所定の値以下のときには、フェード処理部１３１ではフェード処理を行わず、上記振幅レベル差が所定の値より大きいときにフェード処理を行う。ここでのフェード処理とは、つなぎ位置の近傍前部をフェードアウト、つなぎ位置の近傍後部をフェードインする処理のことである。上記振幅レベル差はシステムコントローラ１０４にて検出している。そして、システムコントローラ１０４は、その振幅差に応じて上述したようにフェード処理部１３１にフェード処理を実行させるか、或いはスルーさせる。この音声信号処理部１２９により、つなぎ部分における耳障りなノイズを減少することができ、再生時につなぎ部分で発生してしまうボツッというノイズの発生を抑えることができる。
【０１２２】
音声信号処理部１２９からのディジタル音声信号出力は、音声信号帯域圧縮処理部１３２に供給される。この音声信号帯域圧縮処理部１３２では、ＭＰＥＧオーディオやＡＣ−３といった帯域圧縮を施し、音声信号切り換え部１３３に供給する。
【０１２３】
音声信号切り換え部１３３では、入力端子８６から圧縮方式変換部１２１を介して入力されるディジタル衛星放送／ディジタルＴＶ放送などの圧縮ディジタル入力と、音声信号帯域圧縮処理部１３２からの音声信号との切り換え選択を行う。
【０１２４】
なお、圧縮ディジタル入力が、本システムの記録方式と適合しない場合は、圧縮方式変換部１２１にて変換が行われる。
【０１２５】
音声信号切り換え部１３３にて選択された信号は、記録系用バッファメモリ部１６０を構成する音声系用バッファメモリ部１６２に供給される。記録系用バッファメモリ部１６０全体としては、メモリ制御部１６４からの制御により、映像信号切り換え部１２０と音声信号切り換え部１３３から、それぞれ映像系用バッファメモリ部１６１と音声系用バッファメモリ部１６２に供給される信号の時間調整を行いつつ、多重化（例えばＭＰＥＧシステムのプログラムストリームやトランスポートストリーム）を行う。多重化に必要なヘッダ情報（時間情報、ストリーム情報等）は、システムコントローラ１０４から供給される。
【０１２６】
多重化された信号は、記録系用バッファメモリ部１６０の消費と供給のバランスをとり、オーバーフロー又はアンダーフローしないように記録データ処理部１０５に供給される。
【０１２７】
記録データ処理部１０５では、記録フォーマットに合わせ、例えばデータの並べ換えや、エラー訂正符号の付加、ＥＦＭのような変調を行い、光ディスク１００に記録を行う。光ディスク１００は、上述したように、ディスク／ヘッド制御部１０１により、サーボ／ヘッド移動等の制御が行われ、与えられた位置に上記記録データの記録を行う。
【０１２８】
なお、記録系用バッファメモリ部１６０には、図示するように、映像系用バッファメモリ部１６１と音声系用バッファメモリ部１６２の他に、再生処理系２００で再生した映像及び音声信号を編集に用いるのではなく、単に光ディスク１００に記録位置を換えて記録するために用いる配置換え用バッファメモリ部１６３も備えられている。
【０１２９】
図１４には再生処理系２００の詳細な構成を示す。この再生処理系２００は、光ディスクドライブ１００が光ディスク１ａから読み出した映像信号に再生処理を施す映像信号再生処理系２０１と、光ディスク１００から読み出した音声信号に再生処理を施す音声信号再生処理系２２０とからなる。
【０１３０】
ディスク／ヘッド制御部１０１によりディスク回転が制御され、またトラッキング、フォーカシング等のサーボが制御されて光学ヘッドが読み出した信号は、再生データ処理部１０６に供給される。
【０１３１】
再生データ処理部１０６では、再生フォーマットに従い、上記読み出し信号に例えばＥＦＭ復調、エラー訂正、データの並べ替えなどの処理を施し、再生データをデータバスを経由して再生系用バッファメモリ部１７０に供給する。
【０１３２】
再生系用バッファメモリ部１７０は、上記記録系用バッファメモリ部１６０と共に、統合バッファメモリ１５０に統合されている。
【０１３３】
特に、この再生系用バッファメモリ部１７０は、上記読み出しデータが圧縮データであるとき、圧縮方式を変換するために用いられる圧縮方式変換用バッファメモリ部１７１と、映像系１用バッファメモリ部１７２と、映像系２用バッファメモリ部１７３と、音声系１用バッファメモリ部１７４、音声系２用バッファメモリ部１７５と、上記記録系用バッファメモリ部１６０内部の配置換え用バッファメモリ部１６３と同様の配置換え用バッファメモリ部１７６とから構成される。これらの各バッファメモリ部により構成される再生系用バッファメモリ部１７０は、メモリ制御部１６４により制御される。
【０１３４】
再生データ処理部１０６からの再生データは、メモリ制御部１６４でのメモリ制御により再生系用バッファメモリ部１７０に取り込まれた後、ヘッダの解析が行われ、多重化が分離され、上記各バッファメモリ部に振り分けられる。
【０１３５】
例えば、光ディスクドライブ１００の光ディスク１ａに記録された別々の２つのファイルを同時に再生する同時２ＣＨ再生の場合は、ＣＨ１の映像を映像系１用バッファメモリ部１７２に、音声を音声系１用バッファメモリ部１７４に、ＣＨ２の映像を映像系２用バッファメモリ部１７３に、音声を音声系用２バッファメモリ部１７５にそれぞれ供給する。
【０１３６】
そして、この再生系バッファメモリ部１７０では、システムコントローラ１０４及びメモリ制御部１６４の制御により、消費と供給のバランスがとられ、容量がオーバーフロー／アンダーフローしないようにされる共に、ヘッダの時間情報により、映像と音声の時間合わせが行われる。映像系１用バッファメモリ部１７２からの映像信号は映像信号帯域伸張処理部２０２に供給される。映像系２用バッファメモリ部１７３からの映像信号は映像信号帯域伸張処理部２０３に供給される。
【０１３７】
映像信号帯域伸張処理部２０２、及び映像信号帯域伸張処理部２０３ではそれぞれの上記入力映像信号にＭＰＥＧ、ＪＰＥＧ等の伸張処理を施した後、映像切り換え／合成部２０４に供給する。
【０１３８】
映像切り換え／合成部２０４は、ユーザの設定に従って再生制御信号入力部１０３を介して得た情報に基づいたシステムコントローラ１０４により制御され、映像信号帯域伸張処理部２０２、及び映像信号帯域伸張処理部２０３からの映像に切り換え／合成などの処理を施し、映像信号Ｄ／Ａ変換部２０５、ＤＶ方式変換部２０６、また出力端子２０７を介して記録処理系１１０に出力する。また、出力端子２０８を介してディジタル映像として導出する。
【０１３９】
映像信号Ｄ／Ａ変換部２０５では、ディジタル映像信号にＤ／Ａ変換を施す。この映像信号Ｄ／Ａ変換部２０５からのアナログ映像信号は、映像信号出力部２０９に供給され、クロマエンコード等の処理が施された後、出力端子２１０から映像信号出力１として導出される。
【０１４０】
一方、ＤＶ方式圧縮部２０６では、映像切り換え／合成部２０４からの処理信号をＤＶ方式に変換し、出力端子２１１からＤＶ出力として導出する。また、映像切り換え／合成部２０４から出力端子２０７に供給される処理信号は、記録処理系１１０の入力端子８７から映像信号制御部１１７に供給され、編集処理等に用いられる。
【０１４１】
２ＣＨ同時に映像を出力する場合は、映像信号帯域伸張処理部２０３からの映像信号を映像信号Ｄ／Ａ変換部２１２に供給し、アナログ映像信号に変換させた後、映像信号出力処理部２１３を介して、出力端子２１４から映像信号出力２として導出させる。
【０１４２】
一方、音声信号再生処理系２２０の音声信号帯域伸張処理部２２１、及び音声信号帯域伸張処理部２２２ではそれぞれの上記入力音声信号に、ＭＰＥＧオーディオ、ＡＣ−３等の伸張（リニアＰＣＭのときは伸張処理はしない）を施した後、音声切り換え／合成部２２３に供給する。
【０１４３】
音声切り換え合成部２２３は、ユーザの設定に従って再生制御信号入力部１０３を介して得た情報に基づいたシステムコントローラ１０４により制御され、音声信号帯域伸張処理部２２１、及び音声信号帯域伸張処理部２２２からの音声信号に切り換え／合成などの処理を施し、音声信号処理部２２４に供給する。
【０１４４】
この音声信号処理部２２４は、音声系バッファメモリ２２５とフェード処理部２２６とからなり、時間軸方向に連続していない上記入力ディジタル音声をつなぐ際に、つなぐ部分の音声信号の振幅レベル差に応じてつなぎ部分近傍の音声レベルを調整する。つなぐ部分の上記入力ディジタル音声の振幅レベル差が所定の値以下のときには、フェード処理部２２６ではフェード処理を行わず、上記振幅レベル差が所定の値より大きいときにフェード処理を行う。ここでのフェード処理とは、つなぎ位置の近傍前部をフェードアウト、つなぎ位置の近傍後部をフェードインする処理のことである。上記振幅レベル差はシステムコントローラ１０４にて検出している。そして、システムコントローラ１０４は、その振幅差に応じて上述したようにフェード処理部２２６にフェード処理を実行させるか、或いはスルーさせる。この音声信号処理部２２４により、つなぎ部分における耳障りなノイズを減少することができ、再生時につなぎ部分で発生してしまうボツッというノイズの発生を抑えることができる。
【０１４５】
音声信号処理部２２４からのディジタル音声信号出力は、上記ＤＶ方式圧縮部２０６に供給される。また、出力端子２２７から記録処理系１１０の入力端子９４を介して音声信号切り換え部１２８に供給される。また、出力端子２２８からディジタル音声出力として導出される。さらにまた、音声信号Ｄ／Ａ変換部２２９にも供給される。
【０１４６】
音声信号Ｄ／Ａ変換部２２９では、音声信号処理部２２４からのディジタル音声信号にＤ／Ａ変換を施す。この音声信号Ｄ／Ａ変換部２２９からのアナログ音声信号は、音声信号出力処理部２３０に供給される。音声信号出力処理部２３０では、上記アナログ音声信号に、各種処理を施した後、出力端子２３１に供給する。
【０１４７】
２ＣＨ同時に音声を出力する場合は、音声信号帯域伸張処理部２２２からの音声信号を音声信号Ｄ／Ａ変換部２３２に供給し、アナログ音声信号に変換させた後、音声信号出力処理部２３３で各種処理を施させ、出力端子２３４から導出させる。
【０１４８】
また、映像／音声伸張系を搭載した機器（例えばディジタル映像放送受信機、ディジタルＴＶ受信機）に対しては、圧縮方式変換用バッファメモリ部１７１を介して、圧縮方式変換部２１５で圧縮方式の変換処理を施した後、出力端子２１６から圧縮ディジタル出力として導出される。この出力をコンピュータ等に接続することも可能である。
【０１４９】
なお、上記映像信号記録再生装置、又は映像信号及び音声信号記録再生装置で、記録、再生を繰り返すと、光ディスク１ａ上でのプログラムの断片化が発生し、シームレス再生が難しくなる。更に断片化すると、再生不可能になるケースもある。
【０１５０】
これを解消するために、断片化したプログラムの再配置を図１５に示すように行っても良い。具体的には、図１６に示すように、断片化したプログラム１のＡ，Ｂ，Ｃ，Ｄを読み出して、上記バッファメモリ２２内部で接続し、連続的に記録する。
【０１５１】
記録／再生エリアが統合されているので、統合バッファメモリ２２内の移動、もしくはポインタの移動のみで、断片化が解消可能となる。
【図面の簡単な説明】
【０１５２】
【図１】本発明に係る信号記録再生装置及び方法の実施の形態となる映像信号記録再生装置のブロック図である。
【図２】上記図１に示した映像信号記録再生装置の要部の詳細な構成図である。
【図３】上記図１に示した映像信号記録再生装置の他の要部の詳細な構成図である。
【図４】上記映像信号記録再生装置の記録時のメモリアクセス状態の具体例を説明するための図である。
【図５】上記映像信号記録再生装置の記録時のメモリアクセス状態の他の具体例を説明するための図である。
【図６】上記映像信号記録再生装置の再生時のメモリアクセス状態の具体例を説明するための図である。
【図７】上記映像信号記録再生装置の同時記録再生時のメモリアクセス状態の具体例を説明するための図である。
【図８】上記映像信号記録再生装置の同時記録再生時のメモリアクセス状態の他の具体例を説明するための図である。
【図９】上記映像信号記録再生装置による編集時（繋ぎ撮りＩＮ点）でのメモリアクセス状態の具体例を説明するための図である。
【図１０】上記映像信号記録再生装置による編集時（繋ぎ撮りＯＵＴ点）でのメモリアクセス状態の具体例を説明するための図である。
【図１１】上記映像信号記録再生装置の変形例のブロック図である。
【図１２】本発明に係る信号記録再生装置の他の実施の形態となる映像及び音声信号記録再生装置の概略構成を示すブロック図である。
【図１３】上記映像及び音声信号記録再生装置の要部となる記録処理系の詳細な構成を示すブロック図である。
【図１４】上記映像及び音声信号記録再生装置の要部となる再生処理系の詳細な構成を示すブロック図である。
【図１５】本発明に係る映像信号記録再生装置、又は映像及び音声信号記録再生装置で記録、再生を繰り返した場合のメモリの再配置使用を説明するための図である。
【図１６】上記図１５に示したメモリの再配置使用の具体例を示す図である。
【符号の説明】
【０１５３】
１  光ディスクドライブ、５  システムコントローラ、２２  統合バッファメモリ、２２ａ  記録系要バッファメモリ部、２２ｂ  再生系用バッファメモリ部、２７  メモリ制御部
【図１】
2006228421.tif 000003
【図２】
2006228421.tif 000004
【図３】
2006228421.tif 000005
【図４】
2006228421.tif 000006
【図５】
2006228421.tif 000007
【図６】
2006228421.tif 000008
【図７】
2006228421.tif 000009
【図８】
2006228421.tif 000010
【図９】
2006228421.tif 000011
【図１０】
2006228421.tif 000012
【図１１】
2006228421.tif 000013
【図１２】
2006228421.tif 000014
【図１３】
2006228421.tif 000015
【図１４】
2006228421.tif 000016
【図１５】
2006228421.tif 000017
【図１６】
2006228421.tif 000018
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
第１のストリームに第２のストリームをフレーム単位でつなぐ編集装置において、
映像信号を符号化する符号化手段と、
前記第１のストリームのつなぎ目であるフレームを含む第１のピクチャ群と、前記第２のストリームのつなぎ目であるフレームを含む第２のピクチャ群との、前記符号化手段への入力を切り換える切り換え手段と、
前記第１のストリームと前記第２のストリームのうち、前記第１のピクチャ群と第２のピクチャ群のみを前記符号化手段で符号化するよう制御する制御手段と、
前記制御手段による制御において、前記符号化の前に用いる再生系用の記憶領域と、前記符号化の後に用いる記録系用の記憶領域とを有し、これらの各記憶領域の割り当てを可変とする統合記憶手段と
を有することを特徴とする編集装置。
【請求項２】
前記第１のストリーム、または前記第２のストリームが符号化されていた場合に、前記符号化手段に供給される前に復号する復号手段を有し、
前記制御手段は、前記第２のストリームのつなぎ目であるフレームが、復号に前記第２のピクチャ群以外のピクチャ群を必要とする場合は、前記必要なピクチャ群も前記復号手段に供給するよう制御することを特徴とする請求項１記載の編集装置。
【請求項３】
前記制御手段は、前記符号化手段において、前記第２のストリームのつなぎ目であるフレームを、後方予測符号化画像へ符号化するように制御することを特徴とする請求項２記載の編集装置。
【請求項４】
前記制御手段は、前記符号化手段、及び前記復号手段を同期して動作させることを特徴とする請求項２記載の編集装置。
【請求項５】
前記制御手段は、前記符号化手段において前記第２のピクチャ群が符号化された際に、該符号化された第２のピクチャ群に後方予測のみで復号される双方向予測符号化画像が含まれる場合には、前記第２のピクチャ群に、ピクチャ群内の画像が他のピクチャ群から独立して再生可能なことを示す情報を付加するよう制御することを特徴とする請求項１記載の編集装置。
【請求項６】
前記制御手段は、前記符号化手段において前記第２のピクチャ群が符号化された際に、該符号化された第２のピクチャ群に復号できない双方向予測符号化画像が含まれる場合には、前記第２のピクチャ群に、ピクチャ群内に復号できない双方向予測符号化画像が含まれていることを示す情報を付加するよう制御することを特徴とする請求項１記載の編集装置。
【請求項７】
前記制御手段は、前記統合記憶手段のうち一方の記憶領域でのオーバーフローの発生を防ぐように、前記各記憶領域の割り当てを変化させることを特徴とする請求項１記載の編集装置。
【請求項８】
第１のストリームに第２のストリームをフレーム単位でつなぐための編集方法において、
映像信号を符号化する符号化工程と、
前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、
前記第１のストリームと前記第２のストリームのうち、前記第１のピクチャ群と第２のピクチャ群のみを前記符号化工程で符号化するよう制御する制御工程と、
前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程と
を有することを特徴とする編集方法。
【請求項９】
第１のストリームに第２のストリームをフレーム単位でつないで編集してから記録媒体に記録する記録装置において、
映像信号を符号化する符号化手段と、
前記第１のストリームのつなぎ目であるフレームを含む第１のピクチャ群と、前記第２のストリームのつなぎ目であるフレームを含む第２のピクチャ群との、前記符号化手段への入力を切り換える切り換え手段と、
前記第１のストリームと前記第２のストリームのうち、前記第１のピクチャ群と第２のピクチャ群のみを前記符号化手段で符号化するよう制御する制御手段と、
前記制御手段による制御において、前記符号化の前に用いる再生系用の記憶領域と、前記符号化の後に用いる記録系用の記憶領域とを有し、これらの各記憶領域の割り当てを可変とする統合記憶手段と、
前記統合記憶手段の前記記録系用の記憶領域から読み出された符号化後の前記第１のピクチャ群と第２のピクチャ群を記録媒体に記録する記録手段と
を備えることを特徴とする記録装置。
【請求項１０】
第１のストリームに第２のストリームをフレーム単位でつないで編集してから記録媒体に記録するための記録方法において、
映像信号を符号化する符号化工程と、
前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、
前記第１のストリームと前記第２のストリームのうち、前記第１のピクチャ群と第２のピクチャ群のみを前記符号化工程で符号化するよう制御する制御工程と、
前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程と、
前記記憶領域割り当て工程により各記憶領域が割り当てられた前記統合記憶手段の前記記録系用の記憶領域から読み出された符号化後の前記第１のピクチャ群と第２のピクチャ群を記録媒体に記録する記録工程と
を備えることを特徴とする記録方法。
【請求項１１】
第１のストリームに第２のストリームをフレーム単位でつなぐ編集装置により実行される編集プログラムを格納しているプログラム格納記録媒体において、
前記編集プログラムは、
映像信号を符号化する符号化工程と、
前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、
前記第１のストリームと前記第２のストリームのうち、前記第１のピクチャ群と第２のピクチャ群のみを前記符号化工程で符号化するよう制御する制御工程と、
前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程と
を有することを特徴とするプログラム格納記録媒体。
【手続補正３】
【補正対象書類名】明細書
【補正対象項目名】０００１
【補正方法】変更
【補正の内容】
【０００１】
本発明は、第１のストリームに第２のストリームをフレーム単位でつなぐ編集装置及び編集方法、第１のストリームに第２のストリームをフレーム単位でつないで編集してから記録媒体に記録する記録装置及び記録方法、並びに第１のストリームに第２のストリームをフレーム単位でつなぐ編集装置により実行される編集プログラムを格納しているプログラム格納記録媒体に関する。
【手続補正４】
【補正対象書類名】明細書
【補正対象項目名】０００２
【補正方法】変更
【補正の内容】
【０００２】
ＭＰＥＧエンコード方式で圧縮された映像信号は、ＧＯＰ構造を持っており、一般的に、フレーム単位での編集をする場合、一度、アナログ信号に戻して、頭から再エンコードを行っている。
【手続補正５】
【補正対象書類名】明細書
【補正対象項目名】０００３
【補正方法】変更
【補正の内容】
【０００３】
【特許文献１】特開平８−２２６７２号公報
【手続補正６】
【補正対象書類名】明細書
【補正対象項目名】０００４
【補正方法】変更
【補正の内容】
【０００４】
本発明は、編集の繋ぎ目部分のGOPのみ再エンコードすることにより画質劣化の時間を最小限にとどめることができる編集装置、編集方法、記録装置、記録方法及びプログラム格納記録媒体の提供を目的とする。
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】変更
【補正の内容】
【０００７】
本発明に係る編集装置は、前記課題を解決するために、第１のストリームに第２のストリームをフレーム単位でつなぐ編集装置において、映像信号を符号化する符号化手段と、前記第１のストリームのつなぎ目であるフレームを含む第１のピクチャ群と、前記第２のストリームのつなぎ目であるフレームを含む第２のピクチャ群との、前記符号化手段への入力を切り換える切り換え手段と、前記第１のストリームと前記第２のストリームのうち、前記第１のピクチャ群と第２のピクチャ群のみを前記符号化手段で符号化するよう制御する制御手段と、前記制御手段による制御において、前記符号化の前に用いる再生系用の記憶領域と、前記符号化の後に用いる記録系用の記憶領域とを有し、これらの各記憶領域の割り当てを可変とする統合記憶手段とを有する。
【手続補正１０】
【補正対象書類名】明細書
【補正対象項目名】０００８
【補正方法】変更
【補正の内容】
【０００８】
本発明に係る編集方法は、前記課題を解決するために、第１のストリームに第２のストリームをフレーム単位でつなぐための編集方法において、映像信号を符号化する符号化工程と、前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、前記第１のストリームと前記第２のストリームのうち、前記第１のピクチャ群と第２のピクチャ群のみを前記符号化工程で符号化するよう制御する制御工程と、前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程とを有する。
【手続補正１１】
【補正対象書類名】明細書
【補正対象項目名】０００９
【補正方法】変更
【補正の内容】
【０００９】
本発明に係る記録装置は、前記課題を解決するために、第１のストリームに第２のストリームをフレーム単位でつないで編集してから記録媒体に記録する記録装置において、映像信号を符号化する符号化手段と、前記第１のストリームのつなぎ目であるフレームを含む第１のピクチャ群と、前記第２のストリームのつなぎ目であるフレームを含む第２のピクチャ群との、前記符号化手段への入力を切り換える切り換え手段と、前記第１のストリームと前記第２のストリームのうち、前記第１のピクチャ群と第２のピクチャ群のみを前記符号化手段で符号化するよう制御する制御手段と、前記制御手段による制御において、前記符号化の前に用いる再生系用の記憶領域と、前記符号化の後に用いる記録系用の記憶領域とを有し、これらの各記憶領域の割り当てを可変とする統合記憶手段と、前記統合記憶手段の前記記録系用の記憶領域から読み出された符号化後の前記第１のピクチャ群と第２のピクチャ群を記録媒体に記録する記録手段とを備える。
【手続補正１２】
【補正対象書類名】明細書
【補正対象項目名】００１０
【補正方法】変更
【補正の内容】
【００１０】
本発明に係る記録方法は、前記課題を解決するために、第１のストリームに第２のストリームをフレーム単位でつないで編集してから記録媒体に記録するための記録方法において、映像信号を符号化する符号化工程と、前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、前記第１のストリームと前記第２のストリームのうち、前記第１のピクチャ群と第２のピクチャ群のみを前記符号化工程で符号化するよう制御する制御工程と、前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程と、前記記憶領域割り当て工程により各記憶領域が割り当てられた前記統合記憶手段の前記記録系用の記憶領域から読み出された符号化後の前記第１のピクチャ群と第２のピクチャ群を記録媒体に記録する記録工程とを備える。
【手続補正１３】
【補正対象書類名】明細書
【補正対象項目名】００１１
【補正方法】変更
【補正の内容】
【００１１】
本発明に係るプログラム格納記録媒体は、前記課題を解決するために、第１のストリームに第２のストリームをフレーム単位でつなぐ編集装置により実行される編集プログラムを格納しているプログラム格納記録媒体において、前記編集プログラムは、映像信号を符号化する符号化工程と、前記第１のストリームのつなぎ目であるフレームを含む第１のピクチャ群と、前記第２のストリームのつなぎ目であるフレームを含む第２のピクチャ群との、前記符号化工程への入力を切り換える切り換え工程と、前記第１のストリームと前記第２のストリームのうち、前記第１のピクチャ群と第２のピクチャ群のみを前記符号化工程で符号化するよう制御する制御工程と、前記制御工程による制御において、前記符号化の前に用いる再生系用の記憶領域と、前記符号化の後に用いる記録系用の記憶領域とを有する統合記憶手段の各記憶領域の割り当てを可変とする記憶領域割り当て工程とを有する。
【手続補正１４】
【補正対象書類名】明細書
【補正対象項目名】００１２
【補正方法】変更
【補正の内容】
【００１２】
前記編集装置、編集方法、記録装置、記録方法等で用いる統合記憶手段は、符号化の前に用いる再生系用の記憶領域と、前記符号化の後に用いる記録系用の記憶領域とを有し、これらの各記憶領域の割り当てを可変とする。
【手続補正１５】
【補正対象書類名】明細書
【補正対象項目名】００１３
【補正方法】変更
【補正の内容】
【００１３】
本発明によれば、編集の繋ぎ目部分のGOPのみ再エンコードすることにより画質劣化の時間を最小限にとどめることができる。もちろん、GOPを構成するフレーム単位での繋ぎ編集が実現できる。
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】変更
【補正の内容】
【００１５】
以下、本発明に係る編集装置、編集方法、記録装置、記録方法及びプログラム格納記録媒体の実施の形態について図面を参照しながら説明する。
【手続補正１８】
【補正対象書類名】明細書
【補正対象項目名】０１５２
【補正方法】変更
【補正の内容】
【０１５２】
【図１】本発明の実施の形態となる映像信号記録再生装置のブロック図である。
【図２】前記図１に示した映像信号記録再生装置の要部の詳細な構成図である。
【図３】前記図１に示した映像信号記録再生装置の他の要部の詳細な構成図である。
【図４】前記映像信号記録再生装置の記録時のメモリアクセス状態の具体例を説明するための図である。
【図５】前記映像信号記録再生装置の記録時のメモリアクセス状態の他の具体例を説明するための図である。
【図６】前記映像信号記録再生装置の再生時のメモリアクセス状態の具体例を説明するための図である。
【図７】前記映像信号記録再生装置の同時記録再生時のメモリアクセス状態の具体例を説明するための図である。
【図８】前記映像信号記録再生装置の同時記録再生時のメモリアクセス状態の他の具体例を説明するための図である。
【図９】前記映像信号記録再生装置による編集時（繋ぎ撮りＩＮ点）でのメモリアクセス状態の具体例を説明するための図である。
【図１０】前記映像信号記録再生装置による編集時（繋ぎ撮りＯＵＴ点）でのメモリアクセス状態の具体例を説明するための図である。
【図１１】前記映像信号記録再生装置の変形例のブロック図である。
【図１２】本発明の他の実施の形態となる映像及び音声信号記録再生装置の概略構成を示すブロック図である。
【図１３】前記映像及び音声信号記録再生装置の要部となる記録処理系の詳細な構成を示すブロック図である。
【図１４】前記映像及び音声信号記録再生装置の要部となる再生処理系の詳細な構成を示すブロック図である。
【図１５】本発明の実施の形態の映像信号記録再生装置、又は映像及び音声信号記録再生装置で記録、再生を繰り返した場合のメモリの再配置使用を説明するための図である。
【図１６】前記図１５に示したメモリの再配置使用の具体例を示す図である。